(57)【要約】【課題】使用時に薬剤が手や顔にかかったり吸い込むことがなく、組み立てが簡単な足踏み式エアゾール缶噴霧装置を提供する。【解決手段】エアゾール缶２０を載置する本体１００  と押圧足踏み部材２００  と噴霧用口部材３００  とからなり、押圧足踏み部材は、前端部２６０  の左右板の下端縁部内面に取付突起を対向させて設け、前端部の後方にエアゾール缶冠着部２７０  を設け、エアゾール缶冠着部の天板のエアゾール缶口部との対応位置に貫通孔をもつ噴霧用突起部を設け、エアゾール缶冠着部の後方から後端部にわたって足踏み部２８０  を設け、足踏み部の天板上面に滑り止めリブを設け、下面に脚部を垂設し、本体は、前端部１６０  の左右板の上端縁部に取付孔を対向させて設け、前端部の後方にエアゾール缶載置部１７０  を設け、エアゾール缶載置部の後方に脚受け部１８０  を設け、噴霧用口部材は、エアゾール缶ノズルと連通する噴霧用ノズル３０１  をもち、外周面に押圧リング３１０  を設ける。【選択図】図１
2004305891.tif 000002
【特許請求の範囲】
【請求項１】
エアゾール缶を載置するプラスチック製の本体と、前記本体の上方の前端部を支点として下方の後端部へ蝶着するプラスチック製の押圧足踏み部材と、前記エアゾール缶の口部に装着し前記押圧足踏み部材で挟着される噴霧用口部材とから構成され、前記押圧足踏み部材は、天板と前後板と左右板とからなり、前端部を所定長さに垂設し、該前端部の左右板の下端縁部内面に前記本体との取付突起を対向させて設け、前記前端部の後方にエアゾール缶冠着部を設け、該エアゾール缶冠着部の天板の前記エアゾール缶の口部との対応位置に、貫通孔をもつ噴霧用突起部を設け、前記エアゾール缶冠着部の後方から後端部にわたって足踏み部を設け、該足踏み部の天板上面に滑り止めリブを設け、天板下面に脚部を垂設し、前記本体は、前後板と左右板と底板とからなり、前端部を所定高さに立設し、該前端部の左右板の上端縁部に押圧足踏み部材との取付孔を対向させて設け、前記前端部の後方にエアゾール缶載置部を区画して設け、該エアゾール缶載置部の後方に前記押圧足踏み部材の脚部を受ける脚受け部を設け、前記噴霧用口部材は、下方に前記エアゾール缶の口部に装着する装着孔を設け、該装着孔の上方に前記エアゾール缶のノズルと連通する上下方向の噴霧用ノズルを設け、外周面の上下方向中程に前記押圧足踏み部材の貫通孔より大きい押圧リングを設けたことを特徴とする足踏み式エアゾール缶噴霧装置。
【請求項２】
前記噴霧用口部の噴霧ノズルの上方を、前記押圧足踏み部材の前方へ傾斜させたことを特徴とする請求項１記載の足踏み式エアゾール缶噴霧装置。
【請求項３】
エアゾール缶を載置するプラスチック製の本体と、前記本体の上方の前端部を支点として下方の後端部へ蝶着するプラスチック製の押圧足踏み部材とから構成され、前記押圧足踏み部材は、天板と前後板と左右板とからなり、前端部を所定長さに垂設し、該前端部の左右板の下端縁部内面に前記本体との取付突起を対向させて設け、前記前端部の後方にエアゾール缶冠着部を設け、該エアゾール缶冠着部の天板の前記エアゾール缶の口部との対応位置の上面に噴霧用突起部を設け、下面に前記エアゾール缶の口部に装着する装着部を設け、該装着部から前記噴霧用突起部へ連通し前記エアゾール缶のノズルに接続する噴霧用ノズルを設け、前記エアゾール缶冠着部の後方から後端部にわたって足踏み部を設け、該足踏み部の天板上面に滑り止めリブを設け、天板下面に脚部を垂設し、前記本体は、前後板と左右板と底板とからなり、前端部を所定高さに立設し、該前端部の左右板の上端縁部に押圧足踏み部材との取付孔を対向させて設け、前記前端部の後方にエアゾール缶載置部を区画して設け、該エアゾール缶載置部の後方に前記押圧足踏み部材の脚部を受ける脚受け部を設けたことを特徴とする足踏み式エアゾール缶噴霧装置。
【請求項４】
前記押圧足踏み部材の噴霧ノズルの上方を前方へ傾斜させたことを特徴とする請求項３記載の足踏み式エアゾール缶噴霧装置。
【請求項５】
前記本体の底板に、材質樹脂量を削減するための複数個の貫通孔を設けたことを特徴とする請求項１乃至４記載の足踏み式エアゾール缶噴霧装置。
【発明の詳細な説明】
【０００１】
【発明の属する技術分野】
本発明は、エアゾール缶を足踏みにより噴霧させる足踏み式エアゾール缶噴霧装置に関するものである。
【０００２】
【従来の技術】
従来、エアゾール缶（ａｅｒｏｓｏｌ  ｃａｎ  ）は、殺虫剤、芳香剤、消臭剤、殺菌剤などの容器として広く使用されてきた。このエアゾール缶は、使用するときに、通常では、ボタンや紐などのアクチュエータ（ａｃｔｕａｔｏｒ）を手で操作して噴霧ノズルを開口し、缶内の噴射剤の圧力によって内容物を噴霧ノズルから噴霧するものであった。
【０００３】
【発明が解決しようとする課題】
しかしながら、上述の従来のエアゾール缶においては、内容物を噴霧ノズルから噴霧するときに、アクチュエータを指で操作するため、内容物の薬剤が手や顔に誤ってかかったり、口や鼻などから噴霧された内容物の薬剤を吸い込んでしまうことなどがあった。
【０００４】
本発明は、上述の従来のエアゾール缶のおける問題を解決したものであり、内容物の薬剤を噴霧するときに、内容物の薬剤が手や顔に誤ってかかったり、口や鼻などから噴霧された内容物の薬剤を吸い込むことがなく、使用時の組み立てが簡単な足踏み式エアゾール缶噴霧装置を提供するものである。
【０００５】
【課題を解決するための手段】
すなわち、本発明の第１の発明は、エアゾール缶を載置するプラスチック製の本体と、前記本体の上方の前端部を支点として下方の後端部へ蝶着するプラスチック製の押圧足踏み部材と、前記エアゾール缶の口部に装着し前記押圧足踏み部材で挟着される噴霧用口部材とから構成され、前記押圧足踏み部材は、天板と前後板と左右板とからなり、前端部を所定長さに垂設し、この前端部の左右板の下端縁部内面に前記本体との取付突起を対向させて設け、前記前端部の後方にエアゾール缶冠着部を設け、このエアゾール缶冠着部の天板の前記エアゾール缶の口部との対応位置に、貫通孔をもつ噴霧用突起部を設け、前記エアゾール缶冠着部の後方から後端部にわたって足踏み部を設け、この足踏み部の天板上面に滑り止めリブを設け、天板下面に脚部を垂設し、前記本体は、前後板と左右板と底板とからなり、前端部を所定高さに立設し、この前端部の左右板の上端縁部に押圧足踏み部材との取付孔を対向させて設け、前記前端部の後方にエアゾール缶載置部を区画して設け、このエアゾール缶載置部の後方に前記押圧足踏み部材の脚部を受ける脚受け部を設け、前記噴霧用口部材は、下方に前記エアゾール缶の口部に装着する装着孔を設け、この装着孔の上方に前記エアゾール缶のノズルと連通する上下方向の噴霧用ノズルを設け、外周面の上下方向中程に前記押圧足踏み部材の貫通孔より大きい押圧リングを設けたことを特徴とする足踏み式エアゾール缶噴霧装置である。
【０００６】
次に、本発明の第２の発明は、前記噴霧用口部の噴霧ノズルの上方を、前記押圧足踏み部材の前方へ傾斜させたことを特徴とする第１の発明に記載の足踏み式エアゾール缶噴霧装置である。
【０００７】
次に、本発明の第３の発明は、エアゾール缶を載置するプラスチック製の本体と、前記本体の上方の前端部を支点として下方の後端部へ蝶着するプラスチック製の押圧足踏み部材とから構成され、前記押圧足踏み部材は、天板と前後板と左右板とからなり、前端部を所定長さに垂設し、この前端部の左右板の下端縁部内面に前記本体との取付突起を対向させて設け、前記前端部の後方にエアゾール缶冠着部を設け、このエアゾール缶冠着部の天板の前記エアゾール缶の口部との対応位置の上面に噴霧用突起部を設け、下面に前記エアゾール缶の口部に装着する装着部を設け、この装着部から前記噴霧用突起部へ連通し前記エアゾール缶のノズルに接続する噴霧用ノズルを設け、前記エアゾール缶冠着部の後方から後端部にわたって足踏み部を設け、この足踏み部の天板上面に滑り止めリブを設け、天板下面に脚部を垂設し、前記本体は、前後板と左右板と底板とからなり、前端部を所定高さに立設し、この前端部の左右板の上端縁部に押圧足踏み部材との取付孔を対向させて設け、前記前端部の後方にエアゾール缶載置部を区画して設け、このエアゾール缶載置部の後方に前記押圧足踏み部材の脚部を受ける脚受け部を設けたことを特徴とする足踏み式エアゾール缶噴霧装置である。
【０００８】
次に、本発明の第４の発明は、前記押圧足踏み部材の噴霧ノズルの上方を前方へ傾斜させたことを特徴とする第３の発明に記載の足踏み式エアゾール缶噴霧装置である。
【０００９】
そして、本発明の第５の発明は、前記本体の底板に、材質樹脂量を削減するための複数個の貫通孔を設けたことを特徴とする第１乃至第４の発明に記載の足踏み式エアゾール缶噴霧装置である。
【００１０】
【発明の実施の形態】
次に、本発明の足踏み式エアゾール缶噴霧装置の実施の形態について、図を用いて詳細に説明する。
図１（ａ）は、本発明の実施形態１の足踏み式エアゾール缶噴霧装置の構造を示す説明図であり、図１（ｂ）は、その平面図である。なお、図１（ａ）の２点鎖線は、押圧足踏み部材を開けたときの状態を示すものである。図２（ａ）は、本発明の実施形態２の足踏み式エアゾール缶噴霧装置の本体の平面図であり、図２（ｂ）は、その一部を切り欠いた断面図で、図２（ｃ）は、その底面図である。図３（ａ）は、本発明の実施形態２の足踏み式エアゾール缶噴霧装置の押圧足踏み部材の平面図であり、図３（ｂ）は、その断面図で、図３（ｃ）は、その底面図である。
【００１１】
まず、実施形態１の足踏み式エアゾール缶噴霧装置（１０）は、図１（ａ）及び（ｂ）に示すように、エアゾール缶（２０）を載置するプラスチック製の本体（１００）と、本体の上方の前端部（１６０）を支点として下方の後端部へ蝶着するプラスチック製の押圧足踏み部材（２００）と、エアゾール缶の口部に装着し押圧足踏み部材で挟着される噴霧用口部材（３００）とから構成されるものである。そして、本体、押圧足踏み部材及び噴霧用口部材は、通常、適度の剛性を有するポリプロピレンなどの熱可塑性樹脂を用いて、射出成形法により作製されるものである。
【００１２】
実施形態１の本体（１００）の構造は、図１（ａ）又は（ｂ）に示すように、前後板（１１０，１３０）と左右板（１２０，１４０）と底板（１５０）とからなるトレー状の器であり、前端部（１６０）を所定高さに立設し、その左右板の上端縁部に押圧足踏み部材（２００）との取付孔（１６１）を対向させて設け、前端部の後方に、エアゾール缶載置部（１７０）をリブにより区画して設け、このエアゾール缶載置部の後方に、押圧足踏み部材の脚部（２８２）を受ける脚受け部（１８０）を設けるものである。なお、底板には、通常、材質樹脂量の削減のために、複数個の貫通孔を対称させて設けるものである。
【００１３】
実施形態１の押圧足踏み部材（２００）の構造は、図１（ａ）又は（ｂ）に示すように、天板（２１０）と前後板（２２０，２４０）と左右板（２３０，２５０）とからなり、前端部（２６０）を所定長さに垂設し、その左右板の下端縁部内面に本体との取付突起（２６１）を対向させて設け、前端部の後方にエアゾール缶冠着部（２７０）を設け、このエアゾール缶冠着部の天板（２１０）のエアゾール缶（２０）の口部との対応位置に、貫通孔（２１２）をもつ噴霧用突起部（２１１）を設け、エアゾール缶冠着部の後方から後端部にわたって足踏み部（２８０）を設け、この足踏み部の天板上面に左右方向の５本の滑り止めリブ（２８１）を設け、下面に左右２個の前後方向の脚部（２８２）を垂設するものである。なお、本体の前端部の左右板の上端縁部に押圧足踏み部材との取付突起を設けた場合には、押圧足踏み部材の前端部の左右板の下端縁部内面には本体との取付孔を設けるものである。
【００１４】
そして、実施形態１の噴霧用口部材（３００）の構造は、図１（ａ）又は（ｂ）に示すように、上方が丸い円柱状で、外周面の上下方向中程に押圧足踏み部材の貫通孔（２１２）より大きい押圧リング（３１０）を設け、下方にエアゾール缶（２０）の口部に装着する装着孔（３０２）を設け、その上方にエアゾール缶のノズルと連通する上下方向の噴霧用ノズル（３０１）を設けるものである。なお、必要に応じては、噴霧ノズルの上方を押圧足踏み部材の前方へ傾斜させても良い。
【００１５】
上述した実施形態１の足踏み式エアゾール缶噴霧装置は、押圧足踏み部材の後方の足踏み部を足で踏むと、押圧足踏み部材のエアゾール缶冠着部の天板が前端部の本体との取付位置を支点として下方へ押し下げられ、天板の噴霧用突起部の貫通孔の下端面がエアゾール缶の口部に装着する噴霧用口部材の押圧リングを押圧して押し下げ、エアゾール缶のノズルが開口し、エアゾール缶の内容物がエアゾール缶のノズルと連通する噴霧用口部材の噴霧用ノズルを通って、噴霧用口部材から上方へ噴霧される。噴霧操作は、押圧足踏み部材の後方の足踏み部を足で踏むものであり、また、噴霧用口部材の位置が顔などの身体から離れているため、噴霧する内容物の薬剤が手や顔に誤ってかかったり、口や鼻などから吸い込まれることがない。
【００１６】
また、実施形態１の足踏み式エアゾール缶噴霧装置の組み立ては、エアゾール缶を本体のエアゾール缶載置部に載置し、エアゾール缶の口部に噴霧用口部材を装着し、本体の前端部上端に押圧足踏み部材の前端部下端を取付突起と取付孔により取り付けるだけであるため、使用時の組み立てが非常に簡単である。
【００１７】
次に、実施形態２の足踏み式エアゾール缶噴霧装置は、エアゾール缶を載置するプラスチック製の本体と、本体の上方の前端部を支点として下方の後端部へ蝶着するプラスチック製の押圧足踏み部材とから構成されるものである。そして、本体及び押圧足踏み部材は、通常、適度の剛性を有するポリプロピレンなどの熱可塑性樹脂を用いて、射出成形法により作製されるものである。
【００１８】
実施形態２の本体（１００）の構造は、図２（ａ）乃至（ｃ）に示すように、前後板（１１０，１３０）と左右板（１２０，１４０）と底板（１５０）とからなるトレー状の器であり、前端部（１６０）を所定高さに立設し、この前端部の左右板の上端縁部に押圧足踏み部材（２００）との取付孔（１６１）を対向させて設け、前端部の後方に、エアゾール缶載置部（１７０）をリブにより区画して設け、このエアゾール缶載置部の後方に、押圧足踏み部材の脚部（２８２）を受ける脚受け部（１８０）を設けるものである。なお、底板（１５０）には、通常、材質樹脂量の削減のために、複数個の貫通孔（１５１）を対称させて設けるものである。
【００１９】
実施形態２の押圧足踏み部材（２００）の構造は、図３（ａ）乃至（ｃ）に示すように、天板（２１０）と前後板（２２０，２４０）と左右板（２３０，２５０）とからなり、天板（２１０）と前後板（２２０，２４０）と左右板（２３０，２５０）とからなり、前端部（２６０）を所定長さに垂設し、その左右板の下端縁部内面に本体との取付突起（２６１）を対向させて設け、前端部の後方にエアゾール缶冠着部（２７０）を設け、このエアゾール缶冠着部の天板（２１０）のエアゾール缶（２０）の口部との対応位置の上面に噴霧用突起部を設け、下面に前記エアゾール缶の口部に装着する装着部（２１１）を設け、下面にエアゾール缶の口部に装着する装着部（２１４）を設け、この装着部から噴霧用突起部へ連通しエアゾール缶のノズルに接続する噴霧用ノズル（２１３）を設け、エアゾール缶冠着部の後方から後端部にわたって足踏み部（２８０）を設け、この足踏み部の天板上面に左右方向の５本の滑り止めリブ（２８１）を設け、下面に左右２個の前後方向の脚部（２８２）を垂設するものである。なお、必要に応じては、図３（ｂ）に示すように、装着部（２１４）から噴霧用突起部（２１３）へ連通して設ける噴霧用ノズル（２１１）の上方を前方へ傾斜させても良い。また、本体の前端部の左右板の上端縁部に押圧足踏み部材との取付突起を設けた場合には、押圧足踏み部材の前端部の左右板の下端縁部内面には本体との取付孔を設けるものである。
【００２０】
上述した実施形態２の足踏み式エアゾール缶噴霧装置は、押圧足踏み部材の後方の足踏み部を足で踏むと、押圧足踏み部材のエアゾール缶冠着部の天板が前端部の本体との取付位置を支点として下方へ押し下げられ、天板下面に設けられた装着部がエアゾール缶の口部を押圧して押し下げ、エアゾール缶のノズルが開口し、エアゾール缶の内容物がエアゾール缶のノズルと接続し装着部から天板下面に設けられた噴霧用突起部へ連通する噴霧用ノズルを通って、噴霧用突起部から上方へ噴霧される。噴霧操作は、押圧足踏み部材の後方の足踏み部を足で踏むものであり、また、噴霧用突起部の位置が顔などの身体から離れているため、また、噴霧方向が前方方向であるため、噴霧する内容物の薬剤が手や顔に誤ってかかったり、口や鼻などから吸い込まれることがない。
【００２１】
また、実施形態２の足踏み式エアゾール缶噴霧装置の組み立ては、エアゾール缶を本体のエアゾール缶載置部に載置し、本体の前端部上端に押圧足踏み部材の前端部下端を取付突起と取付孔により取り付けるだけであるため、使用時の組み立てが非常に簡単である。
【００２２】
【発明の効果】
本発明の足踏み式エアゾール缶噴霧装置は、使用するときに、組み立てが簡単であり、また、足踏みにより内容物の薬剤を噴霧するため、内容物の薬剤が手や顔に誤ってかかったり、口や鼻などから噴霧された内容物の薬剤を吸い込むことが防げる。
【図面の簡単な説明】
【図１】（ａ）は、本発明の実施形態１の足踏み式エアゾール缶噴霧装置の構造を示す説明図であり、（ｂ）は、その平面図である。
【図２】（ａ）は、本発明の実施形態２の足踏み式エアゾール缶噴霧装置の本体の平面図であり、（ｂ）は、一部を切り欠いた断面図であり、（ｃ）は、底面図である。
【図３】（ａ）は、本発明の実施形態２の足踏み式エアゾール缶噴霧装置の押圧足踏み部材の平面図であり、（ｂ）は、断面図であり、（ｃ）は、底面図である。
【符号の説明】
１０……足踏み式エアゾール缶噴霧装置
２０……エアゾール缶
１００……本体
１１０，２２０……前板
１２０，２３０……左板
１３０，２４０……後板
１４０，２５０……右板
１５０……底板
１５１，２１２……貫通孔
１６０，２６０……前端部
１６１……取付孔
１７０……エアゾール缶載置部
１８０……脚受け部
２００……押圧足踏み部材
２１０……天板
２１１……噴霧用突起部
２１３，３０１……噴霧ノズル
２１４……装着部
２６１……取付突起
２７０……エアゾール缶冠着部
２８０……足踏み部
２８１……滑り止めリブ
２８２……脚部
３００……噴霧用口部材
３０２……装着孔
３１０……押圧リング
【図１】
2004305891.tif 000003
【図２】
2004305891.tif 000004
【図３】
2004305891.tif 000005